(57)【要約】【課題】ユーザの状態に応じて逐一プレゼンス情報を設定する煩雑さを解消するプレゼンス表示制御装置を提供する。【解決手段】現在時刻が当該選択した列の開始時刻と終了時刻との間にあるか否かを判定する（ステップＳ４３）。ＹＥＳと判定され、さらにプレゼンス通知要否が要と判定されたときは、グループデータベース１０３のレコードに含まれる他の各ユーザＩＤを取得し（ステップＳ４７）、該他の各ユーザＩＤと予定名とをプレゼンス通知部１０７に渡す。プレゼンス通知部１０７は、渡された他の各ユーザＩＤを含むユーザデータベース１０１の各レコードを取得し（ステップＳ４９）、該各レコードの各ログオンアドレス情報を通知先に指定して当該渡された予定名をプレゼンス情報として通知する（ステップＳ５１）。【選択図】      図６
2004302612.tif 000002
【特許請求の範囲】
【請求項１】
ユーザについての複数の予定のそれぞれを示す複数の予定情報が記憶されているときに当該予定の中で現在行われている予定を検出する予定検出手段と、
該検出された予定を示す予定情報を読み出して前記ユーザの状態を示すプレゼンス情報として表示させる表示制御手段と
を備えることを特徴とするプレゼンス表示制御装置。
【請求項２】
前記予定検出手段は、前記表示させる予定情報に対応づけられた開始時刻及び終了時刻の間に現在の時刻がある場合に予定が行われていると判断することを特徴とする請求項１記載のプレゼンス表示制御装置。
【請求項３】
前記複数の予定情報と当該予定情報のそれぞれに開始時刻と終了時刻とが対応づけて記憶される記憶手段を備えることを特徴とする請求項２記載のプレゼンス表示制御装置。
【請求項４】
前記表示制御手段は、前記表示させる予定情報を該予定情報に対応づけられた複数の表示先情報で示される表示先に表示させることを特徴とする請求項１ないし３のいずれかに記載のプレゼンス表示制御装置。
【請求項５】
コンピュータが、ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させることを特徴とするプレゼンス表示制御方法。
【請求項６】
前記予定の検出の際は、前記表示させる予定情報に対応づけられた開始時刻及び終了時刻の間に現在の時刻がある場合に予定が行われていると判断することを特徴とする請求項５記載のプレゼンス表示制御方法。
【請求項７】
前記表示させる予定情報を該予定情報に対応づけられた複数の表示先情報で示される表示先に表示させることを特徴とする請求項５または６記載のプレゼンス表示制御方法。
【請求項８】
ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させることを特徴とするプレゼンス表示制御方法をコンピュータに実行させるプレゼンス表示制御プログラム。
【請求項９】
前記予定の検出の際は、前記表示させる予定情報に対応づけられた開始時刻及び終了時刻の間に現在の時刻がある場合に予定が行われていると判断することを特徴とする請求項８記載のプレゼンス表示制御プログラム。
【請求項１０】
前記表示させる予定情報を該予定情報に対応づけられた複数の表示先情報で示される表示先に表示させることを特徴とする請求項８または９記載のプレゼンス表示制御プログラム。
【請求項１１】
ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させることを特徴とするプレゼンス表示制御方法をコンピュータに実行させるプレゼンス表示制御プログラムを格納した記録媒体。
【請求項１２】
前記予定の検出の際は、前記表示させる予定情報に対応づけられた開始時刻及び終了時刻の間に現在の時刻がある場合に予定が行われていると判断することを特徴とする請求項１１記載のプレゼンス表示制御プログラムを格納した記録媒体。
【請求項１３】
前記表示させる予定情報を該予定情報に対応づけられた複数の表示先情報で示される表示先に表示させることを特徴とする請求項１１または１２記載のプレゼンス表示制御プログラムを格納した記録媒体。
【発明の詳細な説明】
【０００１】
【発明の属する技術分野】
本発明は、ユーザの状態に応じて逐一プレゼンス情報を設定する煩雑さを解消するプレゼンス表示制御装置等に関する。
【０００２】
【従来の技術】
従来より、ユーザの状態を示すプレゼンス情報を他のユーザの端末に表示させられるプレゼンス表示システムが利用されてきた。
【０００３】
このプレゼンス表示システムでは、例えばユーザＡが端末に会議中と設定すると、他のユーザＢの端末にユーザＡは会議中であると表示される。当該技術が下記の非特許文献１に開示されている。
【０００４】
【非特許文献１】
ｈｔｔｐ：／／ｗｗｗ．ｉｅｔｆ．ｏｒｇ／ｒｆｃ／
【０００５】
【発明が解決しようとする課題】
しかしながら、ユーザの状態に応じてプレゼンス情報を設定するのは煩雑であり、設定を忘れると他のユーザの端末に誤った表示がされることになる。
【０００６】
そこで本発明は、上記の従来の課題に鑑みてなされたものであり、その目的とするところは、ユーザの状態に応じて逐一プレゼンス情報を設定する煩雑さを解消するプレゼンス表示制御装置を提供することにある。
【０００７】
【課題を解決するための手段】
上記従来の課題を解決するために、請求項１の本発明は、ユーザについての複数の予定のそれぞれを示す複数の予定情報が記憶されているときに当該予定の中で現在行われている予定を検出する予定検出手段と、該検出された予定を示す予定情報を読み出して前記ユーザの状態を示すプレゼンス情報として表示させる表示制御手段とを備えることを特徴とするプレゼンス表示制御装置をもって解決手段とする。
【０００８】
請求項１の装置によれば、ユーザについての複数の予定のそれぞれを示す複数の予定情報が記憶されているときに当該予定の中で現在行われている予定を検出する予定検出手段と、該検出された予定を示す予定情報を読み出して前記ユーザの状態を示すプレゼンス情報として表示させる表示制御手段とを備えるので、予定情報をプレゼンス情報として表示させることができる。
【０００９】
請求項２の本発明は、前記予定検出手段は、前記表示させる予定情報に対応づけられた開始時刻及び終了時刻の間に現在の時刻がある場合に予定が行われていると判断することを特徴とする請求項１記載のプレゼンス表示制御装置をもって解決手段とする。
【００１０】
請求項２の装置によれば、予定検出手段は、表示させる予定情報に対応づけられた開始時刻及び終了時刻の間に現在の時刻がある場合に予定が行われていると判断するので、開始時刻及び終了時刻の間に現在の時刻がある場合に予定情報をプレゼンス情報として表示させることができる。
【００１１】
請求項３の本発明は、前記複数の予定情報と当該予定情報のそれぞれに開始時刻と終了時刻とが対応づけて記憶される記憶手段を備えることを特徴とする請求項２記載のプレゼンス表示制御装置をもって解決手段とする。
【００１２】
請求項３の装置によれば、複数の予定情報と当該予定情報のそれぞれに開始時刻と終了時刻とが対応づけて記憶される記憶手段を備えるので、この記憶手段から読み出した開始時刻及び終了時刻の間に現在の時刻がある場合に予定情報をプレゼンス情報として表示させることができる。
【００１３】
請求項４の本発明は、前記表示制御手段は、前記表示させる予定情報を該予定情報に対応づけられた複数の表示先情報で示される表示先に表示させることを特徴とする請求項１ないし３のいずれかに記載のプレゼンス表示制御装置をもって解決手段とする。
【００１４】
請求項４の装置によれば、表示制御手段は、表示させる予定情報を該予定情報に対応づけられた複数の表示先情報で示される表示先に表示させるので、複数の表示先でプレゼンス情報すなわち予定情報を視認することができる。
【００１５】
請求項５の本発明は、コンピュータが、ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させることを特徴とするプレゼンス表示制御方法をもって解決手段とする。
【００１６】
請求項５の方法によれば、コンピュータが、ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させるので、予定情報をプレゼンス情報として表示させることができる。
【００１７】
請求項６の本発明は、前記予定の検出の際は、前記表示させる予定情報に対応づけられた開始時刻及び終了時刻の間に現在の時刻がある場合に予定が行われていると判断することを特徴とする請求項５記載のプレゼンス表示制御方法をもって解決手段とする。
【００１８】
請求項６の方法によれば、予定の検出の際は、表示させる予定情報に対応づけられた開始時刻及び終了時刻の間に現在の時刻がある場合に予定が行われていると判断するので、開始時刻及び終了時刻の間に現在の時刻がある場合に予定情報をプレゼンス情報として表示させることができる。
【００１９】
請求項７の本発明は、前記表示させる予定情報を該予定情報に対応づけられた複数の表示先情報で示される表示先に表示させることを特徴とする請求項５または６記載のプレゼンス表示制御方法をもって解決手段とする。
【００２０】
請求項７の方法によれば、表示させる予定情報を該予定情報に対応づけられた複数の表示先情報で示される表示先に表示させるので、複数の表示先でプレゼンス情報すなわち予定情報を視認することができる。
【００２１】
請求項８の本発明は、ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させることを特徴とするプレゼンス表示制御方法をコンピュータに実行させるプレゼンス表示制御プログラムをもって解決手段とする。
【００２２】
請求項８のプログラムによれば、ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させることを特徴とするプレゼンス表示制御方法をコンピュータに実行させるので、このプレゼンス表示制御プログラムにより、予定情報をプレゼンス情報として表示させることができ、しかもその流通性を高めることができる。
【００２３】
請求項９の本発明は、前記予定の検出の際は、前記表示させる予定情報に対応づけられた開始時刻及び終了時刻の間に現在の時刻がある場合に予定が行われていると判断することを特徴とする請求項８記載のプレゼンス表示制御プログラムをもって解決手段とする。
【００２４】
請求項９のプログラムによれば、予定の検出の際は、表示させる予定情報に対応づけられた開始時刻及び終了時刻の間に現在の時刻がある場合に予定が行われていると判断するので、このプレゼンス表示制御プログラムにより、開始時刻及び終了時刻の間に現在の時刻がある場合に予定情報をプレゼンス情報として表示させることができ、しかもその流通性を高めることができる。
【００２５】
請求項１０の本発明は、前記表示させる予定情報を該予定情報に対応づけられた複数の表示先情報で示される表示先に表示させることを特徴とする請求項８または９記載のプレゼンス表示制御プログラムをもって解決手段とする。
【００２６】
請求項１０のプログラムによれば、表示させる予定情報を該予定情報に対応づけられた複数の表示先情報で示される表示先に表示させるので、このプレゼンス表示制御プログラムにより、複数の表示先でプレゼンス情報すなわち予定情報を視認することができ、しかもその流通性を高めることができる。
【００２７】
請求項１１の本発明は、ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させることを特徴とするプレゼンス表示制御方法をコンピュータに実行させるプレゼンス表示制御プログラムを格納した記録媒体をもって解決手段とする。
【００２８】
請求項１１の記録媒体によれば、ユーザについての複数の予定のそれぞれを示す複数の予定情報が記憶されているときに当該予定の中で現在行われている予定を検出し、該検出された予定を示す予定情報を読み出して前記ユーザの状態を示すプレゼンス情報として表示させることを特徴とするプレゼンス表示制御方法をコンピュータに実行させるプレゼンス表示制御プログラムを格納しているので、この記録媒体により、予定情報をプレゼンス情報として表示させることができ、しかもその流通性を高めることができる。
【００２９】
請求項１２の本発明は、前記予定の検出の際は、前記表示させる予定情報に対応づけられた開始時刻及び終了時刻の間に現在の時刻がある場合に予定が行われていると判断することを特徴とする請求項１１記載のプレゼンス表示制御プログラムを格納した記録媒体をもって解決手段とする。
【００３０】
請求項１２の記録媒体によれば、予定の検出の際は、表示させる予定情報に対応づけられた開始時刻及び終了時刻の間に現在の時刻がある場合に予定が行われていると判断するプレゼンス表示制御プログラムを格納しているので、この記録媒体により、開始時刻及び終了時刻の間に現在の時刻がある場合に予定情報をプレゼンス情報として表示させることができ、しかもその流通性を高めることができる。
【００３１】
請求項１３の本発明は、前記表示させる予定情報を該予定情報に対応づけられた複数の表示先情報で示される表示先に表示させることを特徴とする請求項１１または１２記載のプレゼンス表示制御プログラムを格納した記録媒体をもって解決手段とする。
【００３２】
請求項１３の記録媒体によれば、表示させる予定情報を該予定情報に対応づけられた複数の表示先情報で示される表示先に表示させるプレゼンス表示制御プログラムを格納しているので、この記録媒体により、複数の表示先でプレゼンス情報すなわち予定情報を視認することができ、しかもその流通性を高めることができる。
【００３３】
【発明の実施の形態】
以下、本発明の実施の形態を図面を参照して説明する。
【００３４】
図１は、本発明を適用したプレゼンス表示システムの構成を示す図である。
【００３５】
プレゼンスサーバ１は、本発明のプレゼンス表示接続制御方法を実行するプレゼンス表示制御装置に相当するコンピュータであり、端末２１、２２と図示しない他の端末とに、これら端末を利用してログオンしたユーザの状態を示すプレゼンス情報を表示させるように構成されている。なお、プレゼンス情報とは、次に表示すべきプレゼンス情報が生成されるまでは継続的に表示される情報である。
【００３６】
端末２１等には、該端末に固有のアドレス（ＩＰアドレス等）とプレゼンス情報の表示等の機能に対応するポート番号（単にポート番号という）が割り当てられている。したがって、各端末に対しては、該端末のアドレスとポート番号を指定すればプレゼンス情報等を表示させたりすることができる。
【００３７】
図２は、プレゼンスサーバ１の構成を示す図である。
【００３８】
プレゼンスサーバ１は、４つのデータベース、すなわちユーザデータベース１０１、予定データベース１０２及びグループデータベース１０３を備える。
【００３９】
図３は、当該各データベースの構成を示す図である。
【００４０】
図３（ａ）に示すように、ユーザデータベース１０１は、１人のユーザを一意に示す識別情報であるユーザＩＤと当該ユーザからの指定等により設定されたパスワードと当該ユーザの現在の状態を示す現プレゼンス情報と当該ユーザが当該ユーザＩＤ等を使用して認証を受けたときの端末のアドレス及びポート番号からなる表示先情報としてのログオンアドレス情報とを含むレコードが各ユーザについて記憶される固定磁気記憶装置等の（以下同様である）記憶領域である。
【００４１】
図３（ｂ）に示すように、予定データベース１０２は、１人のユーザについての情報を備えた表を各ユーザについて保持する記憶領域である。各表は、当該ユーザについて予定された事柄（予定）を示す予定情報である予定名、当該予定の開始時刻及び終了時刻、当該予定名をプレゼンスとして通知すべき場合には要、通知すべきでないときには否に設定されるプレゼンス通知要否、当該予定名を通知されるユーザの属するグループを一意に示す識別情報であるグループＩＤをそれぞれに含む複数の列と、当該ユーザのユーザＩＤとを含むように設定される。
【００４２】
図３（ｃ）に示すように、グループデータベース１０３は、１つのグループのグループＩＤと当該グループに属する１以上のユーザのユーザＩＤと含むレコードが各グループについて予め記憶された記憶領域である。
【００４３】
図２に戻って説明する。
【００４４】
プレゼンスサーバ１は、端末２１等からユーザＩＤとパスワードに続けて送信された、予定名等の情報を予定データベース１０２に設定するデータベース設定部１０４と、データベース設定部１０４が受信したユーザＩＤとパスワードとを含むレコードがユーザデータベース１０１にあればデータベース設定部１０４に設定許可等を行う認証部１０５と、予定検出手段として予定データベース１０２に設定された予定を検出するとともに表示制御手段として当該検出した予定の予定名をプレゼンス情報として他の端末に通知する要求を行うプレゼンス制御部１０６と、プレゼンス制御部１０６から要求されたプレゼンス情報の端末への通知を行うプレゼンス通知部１０７とを備える。
【００４５】
次にプレゼンスサーバ１の動作を説明する。
【００４６】
図４は、各データベースの設定の際の動作を説明するシーケンスである。まず、データベース管理者等がユーザデータベース１０１のユーザＩＤとパスワードを設定する。
【００４７】
データベース設定部１０４は、ステップＳ１で端末２１等からユーザＩＤとパスワードが到来すると、これらを認証部１０５へ認証要求（ステップＳ３）とともに渡し、認証部１０５は当該ユーザＩＤとパスワードがユーザデータベース１０１にあれば、当該ユーザＩＤ等を含むレコードに当該ユーザＩＤの送信元である端末のアドレス及びポート番号からなるログオンアドレス情報を設定するとともにデータベース設定部１０４に設定許可を行う（ステップＳ５）。
【００４８】
設定許可を得たデータベース設定部１０４は、当該端末２１等から続けて送信される予定名等の情報を基にユーザデータベース１０１を図３に例示すように設定する（ステップＳ７）。
【００４９】
図５は、プレゼンスサーバ１が継続的に行う処理のフローチャートである。
【００５０】
プレゼンス制御部１０６は、端末２１等からユーザＩＤとプレゼンス情報が到来する（ステップＳ２１：ＹＥＳ）と、当該ユーザＩＤを含むユーザデータベース１０１のレコードの現プレゼンス情報として当該到来したプレゼンス情報を設定する（ステップＳ２３）。
【００５１】
プレゼンス制御部１０６は、グループデータベース１０３から当該到来したユーザＩＤを含むレコードを検索し、当該レコードに含まれる他の各ユーザＩＤを取得する（ステップＳ２５）。そして、プレゼンス制御部１０６は、当該取得した他の各ユーザＩＤと当該到来したユーザＩＤとプレゼンス情報とをプレゼンス通知部１０７に渡す。
【００５２】
プレゼンス通知部１０７は、当該渡された他の各ユーザＩＤを含むユーザデータベース１０１の各レコードを検索し（ステップＳ２７）、当該各レコードの各ログオンアドレス情報を通知先に指定して当該渡された到来したユーザＩＤとプレゼンス情報を端末２１等に通知し（ステップＳ２９）、その後、再びユーザＩＤとプレゼンス情報が到来を監視する（ステップＳ２１）。
【００５３】
各端末は、自身に通知されたユーザＩＤとプレゼンス情報とを組にして表示する。
【００５４】
したがって、端末２１等を使用するユーザが当該端末２１等に任意のタイミングで設定した状態を他の端末２２等に表示させることができる。
【００５５】
図６は、プレゼンスサーバ１が継続的に行う他の処理のフローチャートである。プレゼンス制御部１０６は、予定データベース１０２から１つの列、好ましくは選択された回数の少ない１つの列を選択する（ステップＳ４１）。次に、現在時刻が当該選択した列の開始時刻と終了時刻との間にあるか否かを判定する（ステップＳ４３）。ＮＯと判定されたときは、ステップＳ４１へ戻る。
【００５６】
ステップＳ４３でＹＥＳと判定されたときは、すなわち、開始時刻及び終了時刻の間に現在の時刻があるので予定が行われていると判断すると、プレゼンス制御部１０６は、予定データベース１０２の列を含む表のユーザＩＤを含むユーザデータベース１０１のレコードの現プレゼンス情報として当該選択した列の予定名を設定する（ステップＳ４４）。そして選択した列のプレゼンス通知要否の値を判定する（ステップＳ４５）。プレゼンス通知要否が否である場合は、ステップＳ４１へ戻る。
【００５７】
ステップＳ４３で、プレゼンス通知要否が要と判定されたときは、プレゼンス制御部１０６は、選択した列のグループＩＤを取得し、該取得したグループＩＤを含むグループデータベース１０３のレコードに含まれる他の各ユーザＩＤを取得し（ステップＳ４７）、該他の各ユーザＩＤと当該選択した列を含む表に含まれるユーザＩＤと当該選択した列に含まれる予定名とをプレゼンス通知部１０７に渡す。
【００５８】
プレゼンス通知部１０７は、渡された他の各ユーザＩＤを含むユーザデータベース１０１の各レコードを取得し（ステップＳ４９）、該各レコードの各ログオンアドレス情報を通知先に指定して当該渡された予定名をプレゼンス情報として、渡された表に含まれるユーザＩＤとともに通知し（ステップＳ５１）、ステップＳ４１へ戻る。
【００５９】
各端末は、自身に通知されたユーザＩＤとプレゼンス情報とを組にして表示する。
【００６０】
したがって、端末２１等を使用するユーザ等が予め設定した予定名を他の端末２２等といった複数の端末へユーザの状態として表示させることができる。
【００６１】
以上説明したように、本発明を適用したプレゼンスサーバ１によれば、ユーザについての複数の予定のそれぞれを示す複数の予定情報が記憶されているときに当該予定の中で現在行われている予定を検出する予定検出手段としてプレゼンス制御部１０６が予定を検出しと、該検出された予定を示す予定情報を読み出してユーザの状態を示すプレゼンス情報として表示させる表示制御手段としてプレゼンス制御部１０６がプレゼンス情報を表示させるので、予定情報をプレゼンス情報として表示させることができる。
【００６２】
また、予定検出手段としてプレゼンス制御部１０６は、予定情報に対応づけられた開始時刻及び終了時刻の間に現在の時刻がある場合に予定が行われていると判断するので、開始時刻及び終了時刻の間に現在の時刻がある場合に予定情報をプレゼンス情報として表示させることができる。
【００６３】
また、表示制御手段としてプレゼンス制御部１０６は、予定情報を該予定情報に対応づけられた複数の表示先情報で示される表示先に表示させるので、複数の表示先でプレゼンス情報すなわち予定情報を視認することができる。
【００６４】
なお、上記説明したプレゼンスサーバ１としてコンピュータを機能させるコンピュータプログラムであるプレゼンス表示制御プログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【００６５】
【発明の効果】
以上説明したように、本発明によれば、ユーザについての複数の予定のそれぞれを示す複数の予定情報が記憶されているときに当該予定の中で現在行われている予定を検出する予定検出手段が予定を検出し、該検出された予定を示す予定情報を読み出してユーザの状態を示すプレゼンス情報として表示させる表示制御手段がプレゼンス情報を表示させるので、予定情報をプレゼンス情報として表示させることができる。
【図面の簡単な説明】
【図１】本発明を適用したプレゼンス表示システムの構成を示す図である。
【図２】プレゼンスサーバ１の構成を示す図である。
【図３】プレゼンスサーバ１の各データベースの構成を示す図である。
【図４】各データベースの設定の際の動作を説明するシーケンスである。
【図５】プレゼンスサーバ１が継続的に行う処理のフローチャートである。
【図６】プレゼンスサーバ１が継続的に行う他の処理のフローチャートである。
【符号の説明】
１…プレゼンスサーバ
２１，２２…端末
１０１…ユーザデータベース
１０２…予定データベース
１０３…グループデータベース
１０４…データベース設定部
１０５…認証部
１０６…プレゼンス制御部
１０７…プレゼンス通知部
【図１】
2004302612.tif 000003
【図２】
2004302612.tif 000004
【図３】
2004302612.tif 000005
【図４】
2004302612.tif 000006
【図５】
2004302612.tif 000007
【図６】
2004302612.tif 000008